(57)【特許請求の範囲】
【請求項１】
所望の設定値を設定する設定手段と、
この設定手段により設定し得る所望の設定値を示すデータを予め記憶させる設定値記憶手段と、
上記設定手段により設定されている設定値に代えて上記設定値記憶手段により予め記憶しておいたデータを読み出し、これに基づく設定値を設定する設定値呼出手段と、
上記設定値記憶手段と上記設定値呼出手段とを単一の操作手段によって操作し得るよう制御する制御手段と、
上記設定手段により設定された設定値を表示する表示手段と、
を具備し、
上記制御手段は、上記単一の操作部材が所定の時間継続して操作されたときには、その時点で上記設定手段によって設定されている設定値を示すデータを記憶させるように上記設定値記憶手段を制御し、
上記単一の操作部材が上記所定の時間よりも短い所定の時間だけ操作されたときには、上記設定値記憶手段により予め記憶されているデータを読み出し、これに基づく設定値を設定するように上記設定値呼出手段を制御し、
上記設定記憶手段により所望の設定値を示すデータを記憶させる操作を行なったときには、上記表示手段に表示される設定値の表示形態を異なる表示形態に切り換えて表示することを特徴とするカメラ。
【請求項２】
上記設定手段は、撮影条件のうち絞り値を設定する絞り値設定手段であり、
上記設定値記憶手段は、上記絞り値設定手段により設定し得る所望の絞り値を示すデータを予め記憶させる絞り値記憶手段であり、
上記設定値呼出手段は、上記絞り値設定手段により設定されている絞り値に代えて上記絞り値記憶手段により予め記憶されているデータを読み出し、これに基づく絞り値を設定する絞り値呼出手段であることを特徴とする請求項１に記載のカメラ。
【請求項３】
上記設定手段は、撮影条件のうちシャッター速度値を設定するシャッター速度値設定手段であり、
上記設定値記憶手段は、上記シャッター速度値設定手段により設定し得る所望のシャッター速度値を示すデータを予め記憶させるシャッター速度値記憶手段であり、
上記設定値呼出手段は、上記シャッター速度値設定手段により設定されているシャッター速度値に代えて上記シャッター速度値記憶手段により予め記憶されているデータを読み出し、これに基づくシャッター速度値を設定するシャッター速度値呼出手段であることを特徴とする請求項１に記載のカメラ。
【請求項４】
上記設定手段は、回転自在に配置される回転操作部材からなり、上記単一の操作手段は、上記回転操作部材の回転中心軸と同軸に配置される押圧操作部材によって構成したことを特徴とする請求項１に記載のカメラ。
【発明の詳細な説明】
【０００１】
【発明の属する技術分野】
この発明は、カメラ、詳しくは所望の設定値を予め記憶させ得ると共に、この予め記憶させてある設定値を必要なときに呼び出して再設定し得る機能を有するカメラに関するものである。
【０００２】
【従来の技術】
従来より、写真撮影用フイルムに対して所望の被写体像を露光させることにより写真撮影を行なうカメラ等や、撮像素子等を用いて所望の被写体像を電気的な画像信号に変換し、これを所定の形態の電気信号として記録する電子カメラ等（以下、両者を含めて単にカメラ等という）においては、露光動作に先立って各種の撮影条件、例えば撮影対象となる被写体や同被写体の周囲の撮影環境に応じた絞り値やシャッター速度値等の露出に関する設定操作を手動的に又は自動的に行ない、これに基づいて絞り装置やシャッター装置等の設定を行なうことで、被写体からの光束の入射光量を調節した後に露光動作を実行させるようにしているのが普通である。
【０００３】
このとき、特に手動による露出調節動作を行なう場合には、カメラ等の使用者は、その撮影対象とする場面や被写体に応じて最適な露出値となるように所望の絞り値やシャッター速度値等をそれぞれ設定して露光動作を実行させることになる。
【０００４】
そして、この最適と思われる露出値（絞り値とシャッター速度値との組み合わせ）によって露光動作を行なった後には、このときの露出値とは別に、例えば最適と思われる所定の露出値を基準として絞り値又はシャッター速度値の設定を所定の間隔で変更した露出値で、同一の被写体に対する露光動作を続けて実行することがある。つまり、基準となる露出値から意図的に何段階か露出値をずらした露光動作を同一の被写体に対して複数回行なう場合がある。
【０００５】
このようにして取得された複数の画像は、撮影後において比較観察されることにより、カメラの使用者が自己の撮影意図に最も適していると思われる画像を選択するというような作業が行なわれるのである。
【０００６】
また、熟練した撮影者等においては、特定の被写体や自己の表現意図等、撮影対象に応じて所定の絞り値又は所定のシャッター速度値等の設定値を予め決めているような場合もある。
【０００７】
【発明が解決しようとする課題】
ところが、上述のように露出値を数段階ずらして露光動作を行なった後、再度その撮影環境において同様の露出値となるような被写体を撮影しようとする場合や、一連の撮影動作の後に、その撮影者が予め決めている設定値に設定し直す場合等を考慮すると、その都度、手動によって再設定操作を行なうことは、カメラ等の操作性を阻害してしまうと共に撮影効率を低下させてしまうことになる。また、再設定操作に手間取ってしまうことが考えられることから、いわゆるシャッターチャンスを逃してしまうといった問題が生じる場合もある。
【０００８】
そこで、所望の設定値を予め記憶させておくと共に、この所望の設定値を必要に応じて任意に呼び出し、その設定値となるように容易に再設定し得るようにするためのさまざまな手段が考えられている。
【０００９】
例えば所望の絞り値を設定する設定操作部材と、この設定操作部材により設定され得る設定値のうちの所望の設定値を記憶させるための記憶操作部材と、この記憶操作部材により記憶させた設定値を呼び出して、これを再設定する呼出操作部材等の複数の操作部材を備え、設定操作部材によって所望の設定値を設定した後、この所望の設定値を記憶操作部材を操作することにより予め記憶させておき、通常の撮影動作の実行中において、必要に応じて呼出操作部材を操作すれば、その時点で設定操作部材によって設定されている設定値に代えて予め記憶されてある設定値が再設定されるようにする手段等が考えられる。
【００１０】
しかし、このような機能を確実に実現するためには、それぞれの動作に応じた複数の操作部材を必要とすることが考えられる。したがって、そのような手段では操作が煩雑になってしまい操作性や使用感を阻害してしまうという問題がある。
【００１１】
本発明は、上述した点に鑑みてなされたものであって、その目的とするところは、所望の設定値を予め記憶させておくことができると共に、この予め記憶させてある設定値を必要なときに呼び出して再設定し得る機能を有するカメラにおいて、操作性を損なうことなく、より少ない操作部材によって設定値の記憶及び呼出設定の機能を実現することができるようにしたカメラを提供することである。
【００１２】
【課題を解決するための手段】
上記目的を達成するために、第１の発明によるカメラは、所望の設定値を設定する設定手段と、この設定手段により設定し得る所望の設定値を示すデータを予め記憶させる設定値記憶手段と、上記設定手段により設定されている設定値に代えて上記設定値記憶手段により予め記憶しておいたデータを読み出し、これに基づく設定値を設定する設定値呼出手段と、上記設定値記憶手段と上記設定値呼出手段とを単一の操作手段によって操作し得るよう制御する制御手段と、上記設定手段により設定された設定値を表示する表示手段と、を具備し、上記制御手段は、上記単一の操作部材が所定の時間継続して操作されたときには、その時点で上記設定手段によって設定されている設定値を示すデータを記憶させるように上記設定値記憶手段を制御し、上記単一の操作部材が上記所定の時間よりも短い所定の時間だけ操作されたときには、上記設定値記憶手段により予め記憶されているデータを読み出し、これに基づく設定値を設定するように上記設定値呼出手段を制御し、上記設定記憶手段により所望の設定値を示すデータを記憶させる操作を行なったときには、上記表示手段に表示される設定値の表示形態を異なる表示形態に切り換えて表示することを特徴とする。
【００１４】
第２の発明は、上記第１の発明によるカメラにおいて、上記設定手段は、撮影条件のうち絞り値を設定する絞り値設定手段であり、上記設定値記憶手段は、上記絞り値設定手段により設定し得る所望の絞り値を示すデータを予め記憶させる絞り値記憶手段であり、上記設定値呼出手段は、上記絞り値設定手段により設定されている絞り値に代えて上記絞り値記憶手段により予め記憶されているデータを読み出し、これに基づく絞り値を設定する絞り値呼出手段であることを特徴とする。
【００１５】
第３の発明は、上記第１の発明によるカメラにおいて、上記設定手段は、撮影条件のうちシャッター速度値を設定するシャッター速度値設定手段であり、上記設定値記憶手段は、上記シャッター速度値設定手段により設定し得る所望のシャッター速度値を示すデータを予め記憶させるシャッター速度値記憶手段であり、上記設定値呼出手段は、上記シャッター速度値設定手段により設定されているシャッター速度値に代えて上記シャッター速度値記憶手段により予め記憶されているデータを読み出し、これに基づくシャッター速度値を設定するシャッター速度値呼出手段であることを特徴とする。
【００１７】
第４の発明は、上記第１の発明によるカメラにおいて、上記設定手段は、回転自在に配置される回転操作部材からなり、上記単一の操作手段は、上記回転操作部材の回転中心軸と同軸に配置される押圧操作部材によって構成したことを特徴とする。
【００１８】
【発明の実施の形態】
以下、図示の実施の形態によって本発明を説明する。
本実施形態においては、撮像素子等を用いて所望の被写体像を電気的な画像信号に変換し、これを所定の形態の電気信号として記録する電子カメラを例に挙げ、この電子カメラによって行なわれる撮影露光動作時に必要となる設定値のうち露出値を示す絞り値又はシャッター速度値の設定に関して、本発明を適用した場合の例を説明するものとする。
【００１９】
図１は、本発明の一実施形態のカメラの外観斜視図を示し、図２は、本カメラの内部構成を簡単に示すブロック構成図である。
図１に示すように、本実施形態のカメラ１は、箱型形状のカメラ本体２と、このカメラ本体２の前面に設けられた略円筒形状の撮影レンズ鏡筒３と、カメラ本体２の上面側に一端を矢印Ｘ方向に回動自在に軸支された表示装置４等によって構成されている。
【００２０】
カメラ本体２の前面には、上述のように撮影レンズ鏡筒３が所定のマウント手段によって着脱自在に突設されている。この撮影レンズ鏡筒３の内部には複数のレンズからなる撮影光学系３ａや絞り装置及びシャッター装置（図示せず）等が所定の位置に配置されている。
【００２１】
また、カメラ本体２の前面の一側方寄りであって底面寄りの所定の位置には、前面段差部２ｂが設けられている。この前面段差部２ｂには、撮影動作に伴って行なわれる所定の動作、例えば測光動作や測距動作の実行を開始させるための指示信号や露光動作の実行を開始させるための指示信号等を生じさせる操作部材であるレリーズボタン１０が配設されている。このレリーズボタン１０は、例えば押圧式のいわゆるプッシュボタンによって構成され、その押圧方向は、撮影光学系３ａの光軸に沿う方向となっている。
【００２２】
一方、カメラ本体２の一側面には、前方寄りの所定の位置に撮影光学系３ａの光軸に直交する方向であって外方に向けて突設される取っ手部５がカメラ本体２と一体に形成されている。この取っ手部５は、円柱形状の台座部５ａと、この台座部５ａの略中央部分に一体的に固設され、各角部が曲線で形成される略長方形の断面を有する指載せ部５ｂとによって形成されている。
【００２３】
そして、カメラ本体２において、取っ手部５が配設されている同一側面には、取っ手部５の台座部５ａの上側外径線に沿う所定の曲線を有し、カメラ本体２の背面側に向けて延出される線を境界として、その下側寄りの部分に側面段差部２ａが形成されている。
【００２４】
さらに、カメラ本体２の上記取っ手部５が配設されている面と同一の側面において、取っ手部５の近傍に位置し、カメラ本体２の上縁部寄りの所定の位置には、露出に関する各種の設定や変更等を行なうための複数の操作部材等が設けられている。
【００２５】
この複数の操作部材としては、例えば絞り値の設定に関する複数の操作部材と、シャッター速度値の設定に関する複数の操作部材等がある。
絞り値の設定に関する複数の操作部材としては、カメラ本体２に対して回動自在に軸支され、回動操作されることによって所望の絞り値の設定又は変更を行なう設定手段であり絞り値設定手段であって回転操作部材からなる絞り設定ダイアル６と、この絞り設定ダイアル６の回転中心軸と同軸に配置される押圧操作部材からなり、所定の操作を行なうことにより絞り設定ダイアル６によって設定し得る所望の絞り値を示すデータを予め本カメラ１の内部に設けられる所定の記憶手段であるシステムコントローラ部２１の内部メモリ２１ａ（図１では図示せず。図２参照）の所定の領域に記憶させる設定値記憶手段であり絞り値記憶手段及び所定の他の操作を行なうことにより絞り設定ダイアル６によって設定されている絞り値に代えて予め絞り値記憶手段によって内部メモリ２１ａに記憶させてあるデータを読み出して、このデータに基づく絞り値を設定する設定値呼出手段であり絞り値呼出手段とからなるプリセット絞り値記憶／呼出ボタン６ａ等がある。
【００２６】
つまり、本実施形態のカメラ１においては、プリセット絞り値記憶／呼出ボタン６ａは、絞り値記憶手段と絞り値呼出手段とを一体的に構成した単一の操作部材からなるものである。
【００２７】
したがって、このような構成とすることによりプリセット絞り値記憶／呼出ボタン６ａは、所定の操作を行なったときには、絞り値記憶手段としての役目をすると共に、これとは異なる他の所定の操作を行なったときには、絞り値呼出手段としての役目をするようになっているのである（詳細は後述する）。
【００２８】
また、シャッター速度値の設定に関する複数の操作部材としては、上述の絞り値の設定に関する複数の操作部材と同様に、カメラ本体２に対して回動自在に軸支され、回動操作されることによって所望のシャッター速度値の設定又は変更を行なう設定手段でありシャッター速度値設定手段であって回転操作部材からなるシャッター速度設定ダイアル７と、このシャッター速度設定ダイアル７の回転中心軸と同軸に配置される押圧操作部材からなり、所定の操作を行なうことによりシャッター速度設定ダイアル７によって設定し得る所望のシャッター速度値を示すデータを予め本カメラ１の内部に設けられる所定の記憶手段であるシステムコントローラ部２１の内部メモリ２１ａ（図２参照）の所定の領域に記憶させる設定値記憶手段でありシャッター速度値記憶手段及び所定の他の操作を行なうことによりシャッター速度設定ダイアル７によって設定されているシャッター速度値に代えて予めシャッター速度値記憶手段によって内部メモリ２１ａに記憶させてあるデータを任意に読み出して、このデータに基づくシャッター速度値を設定する設定値呼出手段でありシャッター速度値呼出手段とからなるプリセットシャッター速度値記憶／呼出ボタン７ａとがある。
【００２９】
つまり、本実施形態のカメラ１においては、プリセットシャッター速度値記憶／呼出ボタン７ａは、上述のプリセット絞り値記憶／呼出ボタン６ａと同様に、シャッター速度値記憶手段とシャッター速度値呼出手段とを一体的に構成した単一の操作部材からなるものである。
【００３０】
したがって、このような構成とすることによりプリセットシャッター速度値記憶／呼出ボタン７ａは、所定の操作を行なったときには、シャッター速度値記憶手段としての役目をすると共に、これとは異なる他の所定の操作を行なったときには、シャッター速度値呼出手段としての役目をするようになっているのである（詳細は後述する）。
【００３１】
次に、本カメラ１の内部における構成を、図２によって、以下に簡単に説明する。
本カメラ１は、各種の電気回路等によってそれぞれ制御されており、これら各種の電気回路は、ＣＰＵ等により形成される制御手段であるシステムコントローラ部２１によって、全体が統括的に制御されるようになっている。
【００３２】
本カメラ１の内部には、撮影光学系３ａを透過した被写体からの光束により形成される被写体像を受けて光電変換処理を行なって電気的な画像信号を生成する撮像手段であってＣＣＤ等の撮像素子からなるイメージセンサー１２と、このイメージセンサー１２を駆動制御するイメージセンサー駆動部１７と、イメージセンサー１２によって光電変換された画像信号（アナログ信号）をデジタル信号に変換するＡ／Ｄ変換部１３と、このＡ／Ｄ変換部１３によってデジタル信号化された画像信号を受けて所定の信号処理、例えば画像表示装置である液晶ディスプレイ（ＬＣＤ）等の表示部１６の表示画面上に画像を表示をするのに最適な形態のビデオ信号等に変換したり、同画像信号をメモリカード等の記録媒体に記録するのに最適な形態のデータファイルに変換する等の処理（例えば圧縮信号処理等）を行なう信号処理部１４と、この信号処理部１４において変換処理がなされて出力されたビデオ信号等を画像として表示する表示部１６と、信号処理部１４において所定の圧縮信号処理等がなされて生成された画像データファイルを記録する記録部１５と、撮影光学系３ａや絞り装置及びシャッター装置（図示せず）等を駆動制御するレンズ制御部１８と、システムコントローラ部２１に対して各種の指示信号を入力させる複数の入力スイッチ及びこれら入力スイッチを作動させるための各種の操作部材等からなる操作部１９等によって構成されている。
【００３３】
ここで、操作部１９を構成する操作部材は、例えば上述の絞り設定ダイアル６やプリセット絞り値記憶／呼出ボタン６ａ、シャッター速度設定ダイアル７やプリセットシャッター速度値記憶／呼出ボタン７ａ等と、これらの操作部材に対応する電気的なスイッチ等が相当する。
【００３４】
また、システムコントローラ部２１には、内部メモリ２１ａを有して構成されており、同内部メモリ２１ａには、上述したように絞り設定ダイアル６やシャッター速度設定ダイアル７等によって設定し得る所望の絞り値やシャッター速度値等を示す各データを予め所定の領域に記憶させることができるようになっている。
【００３５】
このように構成された上記一実施形態のカメラにおける作用を図３のフローチャートに基づいて、以下に説明する。なお、図３では、本カメラ１を用いて撮影動作を行なうのに先立って所望の絞り値を設定し、この設定された絞り値を記憶させ、こうして記憶させた設定値を読み出して、この読み出された絞り値を再設定する際の動作の流れを説明している。これら一連の動作は、絞り値の設定に関するだけでなく、そのままシャッター速度値を設定する際の動作も略同等の動作となる。したがって、以下の説明においては、絞り値に係る場合の作用のみを説明し、シャッター速度値に係る場合の作用についてはその説明を省略するものとする。
【００３６】
本カメラ１における一連の動作を開始させるに当たっては、本カメラ１の主電源をオン状態に切り換える所定の操作を行なって、同カメラ１を撮影し得る状態、即ち撮影準備状態にする。このとき絞り値及びシャッター速度値等の設定値は、所定の初期値に初期化された状態にある。
【００３７】
この撮影準備状態にあるときに、システムコントローラ部２１は、絞り設定ダイアル６及びプリセット絞り値記憶／呼出ボタン６ａ等の状態を監視している。
【００３８】
まず、ステップＳ１において、本カメラ１の使用者が絞り設定ダイアル６を回転させて所望の絞り値を設定するための操作を行なった場合には、（操作部１９に含まれる）絞り設定ダイアル６から所定の指示信号が発生する。この指示信号が検出されるとシステムコントローラ部２１は、次のステップＳ２において、絞り設定ダイアル６の回転方向及び回転量に応じた絞り値を設定し、これに基づいてレンズ制御部１８を介して絞り装置等を駆動制御する。これにより、絞り装置による絞りの状態が設定した所望の絞り値に対応する状態になる。
【００３９】
続いて、ステップＳ３において、システムコントローラ部２１は、設定された絞り値に関する情報（データ）を信号処理部１４へと伝送する。この信号処理部１４では、これを受けて表示部１６に表示される画像に重畳させて絞り値を視覚的に識別し得る形態、例えば数値等の形態で表示し得るように信号処理を行ない、これによって生成された信号が表示部１６へと伝送される。これにより、表示部１６には、表示されている画像に重畳して、所定の領域に表示されている絞り値の表示が、上述のステップＳ１において設定された所望の絞り値を示す数値等に変更される。そして、上述のステップＳ１に戻り、以下の処理を繰り返す。
【００４０】
上述のステップＳ１においては、絞り設定ダイアル６が回転操作されることによって生じる所定の指示信号を監視しているが、このとき、絞り設定ダイアル６の状態が所定の時間継続して変化がなかった場合には、ステップＳ４の処理に進み、このステップＳ４において、システムコントローラ部２１は、（操作部１９に含まれる）プリセット絞り値記憶／呼出ボタン６ａに連動するプリセットスイッチの状態を監視する。ここで、同スイッチからの入力信号が検出された場合には、ステップＳ５の処理に進む一方、所定の時間の監視により同スイッチからの入力信号が検出されなかった場合には、上述のステップＳ１の処理に戻って、以降の処理を繰り返す。
【００４１】
ステップＳ５において、システムコントローラ部２１は、上述のステップＳ４において入力されたプリセットスイッチ入力の時間が所定時間よりも長いか否か、即ち予め設定されている所定の時間よりも長い時間継続してプリセット絞り値記憶／呼出ボタン６ａが押されているか否かの判断を行なう。ここで、プリセット絞り値記憶／呼出ボタン６ａによるプリセットスイッチ入力の時間が所定の時間よりも長いと判断された場合には、次のステップＳ６の処理に進む一方、プリセットスイッチ入力の時間が所定の時間よりも短いと判断された場合には、ステップＳ８の処理に進む。
【００４２】
ステップＳ６において、システムコントローラ部２１は、この時点で絞り設定ダイアル６によって設定された所望の絞り値を示すデータを自己の内部メモリ２１ａに記憶する。なお、このようにして内部メモリ２１ａに記憶されたデータにより表わされる絞り値をプリセット絞り値というものとする。
【００４３】
続けて、次のステップＳ７において、システムコントローラ部２１は、信号処理部１４及び表示部１６を制御して、同表示部１６の表示画面上の所定の領域に表示されている絞り値の表示形態をプリセット絞り値を表わす表示形態に変更する。
【００４４】
ここでいう表示形態の変更は、例えば次に示すようなものである。即ち、通常の状態では、表示部１６には、現在設定されている絞り値を示す数値等を白色文字等で表示するようにし、上述のステップＳ６においてプリセット絞り値が設定された場合、つまり設定されている絞り値を記憶させる操作を行なった場合には、表示される絞り値の色を赤色文字等、表示色等の表示形態を変更するようにする。
【００４５】
このようにすれば、現在設定されている絞り値（のデータ）がプリセット絞り値（のデータ）としてシステムコントローラ部２１の内部メモリ２１ａに記憶されたことを明示することになり、よって本カメラ１の使用者は、目視するのみで容易にその旨を確認することができるようになる。このように表示形態（表示色）が変更されると、上述のステップＳ１の処理に戻り、以降の処理が繰り返される。
【００４６】
一方、上述のステップＳ５において、プリセットスイッチ入力の時間が所定の時間よりも短いと判断された場合には、ステップＳ８の処理に進む。この場合には、本カメラ１の使用者は、プリセット絞り値記憶／呼出ボタン６ａを所定の時間よりも短い時間だけ操作した場合であると考えられる。
【００４７】
したがって、ステップＳ８において、システムコントローラ部２１は、自己の内部メモリ２１ａに予め記憶されているプリセット絞り値のデータを読み出し、これに基づいてレンズ制御部１８を介して絞り装置等を駆動制御して、同絞り装置による絞りの状態をプリセット絞り値に対応した状態に設定する。
【００４８】
次いで、ステップＳ９において、システムコントローラ部２１は、信号処理部１４及び表示部１６を制御して、表示部１６の所定の領域に表示される絞り値の表示を、上述のステップＳ８において設定されたプリセット絞り値を示す絞り値に変更する。そして、上述のステップＳ１の処理に戻り、以降の処理が同様に繰り返されることになる。
【００４９】
以上説明したように上記一実施形態によれば、絞り設定ダイアル６又はシャッター速度設定ダイアル７により設定した所望の設定値（絞り値・シャッター速度値）をプリセット（絞り・シャッター速度）値としてシステムコントローラ部２１の内部メモリ２１ａに対して予め記憶させておくための設定値記憶手段と、この設定値記憶手段により内部メモリ２１ａに記憶させておいたデータを読み出して、これに基づく設定値（絞り値・シャッター速度値等）を設定する設定値呼出手段とを単一の操作部材、即ちプリセット絞り値記憶／呼出ボタン６ａ又はプリセットシャッター速度値記憶／呼出ボタン７ａによって操作し得るように制御されているので、設定値の記憶及び呼出設定動作に関する操作部材の部品点数を削減することができる。
【００５０】
そして、この場合において、単一化された操作部材であるプリセット絞り値記憶／呼出ボタン６ａ又はプリセットシャッター速度値記憶／呼出ボタン７ａは、これらを押圧操作する際の押圧時間を異ならせるのみの簡単な操作を行なうだけで、設定値記憶手段として作用させるか設定値呼出手段として作用させるかを切り換えるようにしている。したがって、操作性を損なうこともなく、容易にかつ所望するときにプリセット値の記憶又は呼出操作を行なうことができる。
【００５１】
さらに、設定値の記憶操作を行なった後には、表示部１６に表示される設定値の形態を変更させて、記憶操作が行なわれた旨を明示するようにしたので、誤って操作してしまったような場合、例えばプリセット値の記憶を行おうとしたときに、その操作が不充分であったときには、呼出動作が行なわれてしまうことになるが、そのようなときにも、操作の結果が表示部１６の表示によってすぐに確認することができる。したがって使用者は、誤操作を行なってしまったことを容易に判別し得ることになり、その時点で再設定操作を行なえば、使用者が意図しない設定値による撮影を実行してしまうようなこともなくなる。
【００５２】
なお、上述の実施形態においては、本発明をカメラに適用した例を示して詳細な説明をしているが、本発明はこれに限らず、所望の設定値を設定し、この設定値によって所望の動作を実行させるようにしている各種の装置や機器全般にも適用し得ることは当然考えられることである。
【００５３】
【発明の効果】
以上述べたように本発明によれば、所望の設定値を予め記憶させておくことができると共に、この予め記憶させてある設定値を必要なときに任意に呼び出して再設定し得る機能を有するカメラにおいて、操作性を損なうことなく、より少ない操作部材によって設定値の記憶及び呼出設定の機能を実現し得るカメラを提供することができる。
【図面の簡単な説明】
【図１】本発明の一実施形態のカメラを示す外観斜視図。
【図２】図１のカメラの内部構成を示すブロック構成図。
【図３】図１のカメラにおける作用を示すフローチャート。
【符号の説明】
１……カメラ
２……カメラ本体
３……撮影レンズ鏡筒
３ａ……撮影光学系
４……表示装置
５……取っ手部
５ａ……台座部
５ｂ……指載せ部
６……絞り設定ダイアル（設定手段・絞り値設定手段・回転操作部材）
６ａ……プリセット絞り値記憶／呼出ボタン（設定値記憶手段・絞り値記憶手段・設定値呼出手段・絞り値呼出手段・押圧操作部材）
７……シャッター速度設定ダイアル（設定手段・シャッター速度値設定手段・回転操作部材）
７ａ……プリセットシャッター速度値記憶／呼出ボタン（設定値記憶手段・シャッター速度値記憶手段・設定値呼出手段・シャッター速度値呼出手段・押圧操作部材）
１０……レリーズボタン
１２……イメージセンサー
１３……Ａ／Ｄ変換部
１４……信号処理部
１６……表示部
１７……イメージセンサー駆動部
１８……レンズ制御部
１９……操作部
２１……システムコントローラ部（制御手段）
２１ａ……内部メモリ
【図１】
0004315531.tif 000002
【図２】
0004315531.tif 000003
【図３】
0004315531.tif 000004